(57)【要約】【課題】  充分な強度を有しつつ、意匠性及びペットの安全性を同時に達成できる間仕切りを提供する。【解決手段】  間仕切り１０は、複数の間仕切り１０Ａ、１０Ｂを相互に摺動自在に連結して成る。各間仕切り１０Ａ、１０Ｂは、枠体１２と、この枠体１２に支持される板状部材１４とを有する。板状部材１４は、板状部材１４の対向する端部を貫通するように形成された複数の中空部１６を有するプラスチック製段ボールである。各間仕切り１０Ａ、１０Ｂの中央側に位置する端部付近の中空部１６には、枠体１２に支持されるワイヤが貫通する。【選択図】        図３
0003124699.tif 000002
【実用新案登録請求の範囲】
【請求項１】
枠体と前記枠体に支持される板状部材とを有する間仕切りであって、前記板状部材は、前記板状部材の対向する端部を貫通するように形成された複数の中空部を有するプラスチック製段ボールであることを特徴とする間仕切り。
【請求項２】
請求項１に記載された間仕切りにおいて、前記板状部材は、複数の補強壁を有し、前記複数の中空部は、前記複数の補強壁により形成されていることを特徴とする間仕切り。
【請求項３】
請求項１又は請求項２のいずれかに記載された間仕切りにおいて、前記複数の中空部は、複数の平板材の間の空間を区切るように形成されていることを特徴とする間仕切り。
【請求項４】
請求項１乃至請求項３のいずれかに記載された間仕切りにおいて、前記板状部材は、透光性を有することを特徴とする間仕切り。
【請求項５】
請求項１乃至請求項４のいずれかに記載された間仕切りにおいて、前記板状部材は、ポリプロピレン、ポリカーボネート、ポリエチレン、ポリスチレン、ポリ塩化ビニル、ＡＢＳ樹脂その他の熱可塑性樹脂から形成されていることを特徴とする間仕切り。
【請求項６】
請求項１乃至請求項５のいずれかに記載された間仕切りにおいて、前記板状部材は、少なくとも一対の対向する端部が前記枠体に支持され、前記中空部を貫通して前記枠体に支持される自己保型性を有するワイヤにより変位が規制されていることを特徴とする間仕切り。
【請求項７】
請求項６に記載された間仕切りにおいて、前記枠体に支持される前記板状部材の一対の対向する端部が上端及び下端であって、前記板状部材は、前記ワイヤにより左右方向への変位が規制されていることを特徴とする間仕切り。
【請求項８】
請求項７に記載された間仕切りにおいて、前記板状部材の左右端の少なくともいずれか一方が、前記板状部材の上端及び下端に設置された枠体に支持される自己保型性を有するワイヤにより固定されていることを特徴とする間仕切り。
【請求項９】
請求項７又は請求項８のいずれかに記載された間仕切りにおいて、前記ワイヤが前記板状部材の左右端以外の中空部にも設置されていることを特徴とする間仕切り。
【請求項１０】
請求項６乃至請求項９のいずれかに記載された間仕切りにおいて、前記ワイヤは、一端が一方の前記枠体に支持される棒状部材に係止され、他端が他方の枠体に取り付けられるネジ受けに螺合されていることを特徴とする間仕切り。
【請求項１１】
請求項１乃至請求項１０のいずれかに記載された間仕切りを間仕切り部材として、前記複数の間仕切り部材を相互に摺動自在に連結して伸縮自在としたことを特徴とする間仕切り。
【請求項１２】
請求項１１に記載された間仕切りであって、前記ワイヤにより変位が規制されている端を前記間仕切りの中央部に向けて配置することを特徴とする間仕切り。
【考案の詳細な説明】
【技術分野】
【０００１】
本考案は、屋内や屋外等において、特に、犬等のペットの自由な移動を規制するため等に用いられる間仕切りの改良に関し、特に、充分な強度を有しつつ、意匠性、視認性を適切に確保することができる間仕切りに関するものである。
【背景技術】
【０００２】
例えば、屋内等において、犬等のペットが不意の箇所等に入らないよう、所定の範囲内に止めておくために、ペット等の移動を規制する手段として、簡易に設置できる間仕切りを使用することがある。
【０００３】
このようなペット用の間仕切りにおいては、従来、４方を枠で囲まれた金属製の格子乃至は網状の間仕切りが一般的であった（例えば、特許文献１参照）。このような壁面において外部との通気性を有する間仕切りにおいては、格子の目の部分から、犬等のペットが手足を出して思わぬ悪戯をして移動を規制した意味がなくなったり、不意の接触でペットに怪我をさせるおそれもあった。また、犬の抜け毛等が格子の目を通過して間仕切りの外に飛散することもあった。更には、金属製の格子を使用すると、重量が嵩み、任意の箇所に簡易に設置することができない問題もあった。
【０００４】
従って、このような目のない遮断空間を形成する間仕切りとすることが好ましい。この場合、透光性を有さない間仕切りを使用すると、間仕切りで囲まれた空間内において、ペット等が閉塞感を感じ、ペットの精神状態に影響を与えるおそれがある。そのため、例えば、間仕切りの面状部（壁面）をガラスや透明又は半透明の平板状のプラスチックプレートから形成することが考えられる。
【０００５】
しかし、一方で、これらの間仕切りには、犬等のペットが衝突することがあるため、充分な強度や安全性を有している必要がある。この点、ガラスでは、ある程度の強度を確保することができる反面、衝突したペットが怪我をしたり、あるいは、破損した場合には、割れたガラスでペットが怪我をするおそれがあり、更には、やはり金属製の格子と同様に、重量が嵩む欠点がある。また、平板状のプラスチックプレートでは、必ずしも強度が充分ではなく、衝突により、間仕切りを突破して、ペットが間仕切り外へ出てしまうおそれもある。このため、ある程度の強度を有しつつも、弾性を有していることが望ましい。
【０００６】
この場合、この間仕切りの面状部（壁面部）の強度を確保するためには、上記従来技術のように、板状部材の上下左右の端部（４方）を枠で支持することが必要となる。しかし、任意の箇所に簡易に設置する間仕切りにおいては、設置箇所に合わせて、サイズ、特に、設置幅を調整できることが望ましく、また、設置幅の調整により間仕切りを開閉して、ペットの出し入れを容易にするゲートとすることができる。
【０００７】
そのためには、２つの間仕切り部材を相互に摺動自在に連結して、幅方向（左右）に伸縮可能とすることが考えられる。しかし、この場合に、上下左右の全ての端部が枠体で囲まれた間仕切り部材を組み合わせると、例えば、相互に離反する方向に摺動させると、単体の間仕切り部材の左右のどちらかの枠体（間仕切りの上下方向にわたり設置される枠体）が、伸長された間仕切り全体の中央部や途中付近に存在することになり、正面から見た場合に、最左端及び最右端の２つの枠体に加え、その間に、１つ、あるいは、２つの上下方向に配置される枠体が存在することになり、意匠性が低下し、特に屋内に設置した場合には、家具の一種として使用されるため、好ましくない。更には、中央部に枠体が存在すすると、ペットが衝突して、怪我をするおそれもある。
【０００８】
この場合、各間仕切り部材の左右のどちらかの端部には枠体を設置しないことも考えられるが、これでは、強度が低下するおそれがある。このように、従来は、充分な強度を有しつつ、意匠性や、ペットの安全性を同時に達成できる間仕切りは提供されていなかった。
【特許文献１】特開２００２−１９４９０３号公報
【考案の開示】
【考案が解決しようとする課題】
【０００９】
本考案が解決しようとする課題は、上記の問題点に鑑み、充分な強度を有しつつ、意匠性及びペットの安全性を同時に達成できる間仕切りを提供することにある。
【課題を解決するための手段】
【００１０】
本考案は、上記の課題を解決するための第１の手段として、枠体と枠体に支持される板状部材とを有する間仕切りであって、板状部材は、板状部材の対向する端部を貫通するように形成された複数の中空部を有するプラスチック製段ボールであることを特徴とする間仕切りを提供するものである。
【００１１】
本考案は、上記の課題を解決するための第２の手段として、上記第１の解決手段において、板状部材は、複数の補強壁を有し、複数の中空部は、これらの複数の補強壁により形成されていることを特徴とする間仕切りを提供するものである。
【００１２】
本考案は、上記の課題を解決するための第３の手段として、上記第１又は第２のいずれかの解決手段において、複数の中空部は、複数の平板材の間の空間を区切るように形成されていることを特徴とする間仕切りを提供するものである。
【００１３】
本考案は、上記の課題を解決するための第４の手段として、上記第１乃至第３のいずれかの解決手段において、板状部材は、透光性を有することを特徴とする間仕切りを提供するものである。
【００１４】
本考案は、上記の課題を解決するための第５の手段として、上記第１乃至第４のいずれかの解決手段において、板状部材は、ポリプロピレン、ポリカーボネート、ポリエチレン、ポリスチレン、ポリ塩化ビニル、ＡＢＳ樹脂その他の熱可塑性樹脂から形成されていることを特徴とする間仕切りを提供するものである。
【００１５】
本考案は、上記の課題を解決するための第６の手段として、上記第１乃至第５のいずれかの解決手段において、板状部材は、少なくとも一対の対向する端部が枠体に支持され、中空部を貫通して枠体に支持される自己保型性を有するワイヤにより変位が規制されていることを特徴とする間仕切りを提供するものである。
【００１６】
本考案は、上記の課題を解決するための第７の手段として、上記第６の解決手段において、枠体に支持される板状部材の一対の対向する端部が上端及び下端であって、板状部材は、ワイヤにより左右方向への変位が規制されていることを特徴とする間仕切りを提供するものである。
【００１７】
本考案は、上記の課題を解決するための第８の手段として、上記第７の解決手段において、板状部材の左右端の少なくともいずれか一方が、板状部材の上端及び下端に設置された枠体に支持される自己保型性を有するワイヤにより固定されていることを特徴とする間仕切りを提供するものである。
【００１８】
本考案は、上記の課題を解決するための第９の手段として、上記第７又は第８のいずれかの解決手段において、ワイヤが板状部材の左右端以外の中空部にも設置されていることを特徴とする間仕切りを提供するものである。
【００１９】
本考案は、上記の課題を解決するための第１０の手段として、上記第６乃至第９のいずれかの解決手段において、ワイヤは、一端が一方の枠体に支持される棒状部材に係止され、他端が他方の枠体に取り付けられるネジ受けに螺合されていることを特徴とする間仕切りを提供するものである。
【００２０】
本考案は、上記の課題を解決するための第１１の手段として、上記第１乃至第１０のいずれかの解決手段である間仕切りを間仕切り部材として、複数の間仕切り部材を相互に摺動自在に連結して伸縮自在としたことを特徴とする間仕切りを提供するものである。
【００２１】
本考案は、上記の課題を解決するための第１２の手段として、上記第１１の解決手段において、ワイヤにより変位が規制されている端を間仕切りの中央部に向けて配置することを特徴とする間仕切りを提供するものである。
【考案の効果】
【００２２】
本考案によれば、上記のように、板状部材を、板状部材の上下端等の対向する端部を貫通するように形成された複数の中空部を有するプラスチック製段ボールから形成しているため、この板状部材の上下端にわたって形成された複数の中空部間の補強壁により充分な強度を確保しつつ、ペット等が衝突しても複数の中空部が変形して衝撃を吸収することができ、ペット等の安全性を確保することができる実益がある。
【００２３】
本考案によれば、上記のように、この板状部材を透明や半透明等の透光性を有する材料から形成することができるため、内部のペット等が飼い主等を確認することができると同時に、閉塞感を感じることがなく、ペットに安心感を与えることができる実益もある。
【００２４】
また、本考案によれば、上記のように、板状部材は、例えば、上端及び下端等の少なくとも一対の対向する端部が枠体に支持され、また、複数の中空部が板状部材の対向する端部を貫通するように形成されているため、この中空部に自己保形成を有するワイヤを貫通させて枠体に支持することができるので、板状部材の左端又は右端等の少なくともいずれか一方の変位を、このワイヤにより規制することができ、このワイヤにより板状部材の充分な固定強度を確保しつつ、複数の間仕切り部材を組み合わせて伸縮可能な間仕切りとした場合において、間仕切り部材を相互に離反するように伸長させても、板状部材の途中（左右の枠体の間）において枠体が存在することがなく、優れた意匠性も確保することができる実益がある。
【考案を実施するための最良の形態】
【００２５】
本考案の実施の形態を図面を参照しながら詳細に説明すると、図１乃至図３は、本考案の間仕切り１０を示し、この間仕切り１０は、特に図２に示すように、壁際や廊下等に設置されて、犬、特に、小型犬等のペットの移動を規制するために使用される。
【００２６】
図示の実施の形態では、この間仕切り１０は、図１乃至図３に示すように、２つの間仕切り１０Ａ、１０Ｂを間仕切り部材として、これらの複数の間仕切り部材を、図３及び図４に示すように、相互に摺動自在に連結して伸縮自在とされている。各間仕切り１０Ａ、１０Ｂは、図１乃至図３に示すように、枠体１２と、この枠体１２に支持される板状部材１４とを有している。
【００２７】
この板状部材１４は、板状部材１４の対向する端部、具体的には、図示の実施の形態では、図１乃至図３及び図５に示すように、上下の端部、即ち、上端及び下端を貫通するように形成された複数の中空部１６を有するプラスチック製段ボールから成っている。
【００２８】
この板状部材１４は、図５に示すように、板状部材１４の対向する端部にわたって形成された複数の補強壁１８を有し、複数の中空部１６は、これらの複数の補強壁１８により、複数の補強壁１８の間に形成されている。
【００２９】
従って、本考案における板状部材１４は、単なる平板状のプラスチックプレートと異なり、これらの補強壁１８により充分な有しつつ、ペット等が衝突しても複数の中空部１６が変形して衝撃を吸収することができ、ペット等の安全性を確保することができる。なお、これらの複数の補強壁１８の間隔、換言すれば、補強壁１８の個数、ひいては、複数の中空部１６の大きさは、必要に応じて適宜任意に設定することができるが、補強壁１８間の間隔があまりに大きいと強度が低下するので、ある程度強度を考慮して設定することが好ましい。また、板状部材１４の補強壁１８等の各壁面の肉厚も、中空部１６が多少は変形して衝撃を吸収することができるように設定すると共に、板状部材１４を弾性変形可能な材質から形成する。
【００３０】
この板状部材１４は、具体的には、プラスチックを押出成形することにより、全体を一体的に形成することができるが、その他、波形状に形成された芯部に、平板状のプラスチックプレートを接合等して形成することもできる。なお、図示の実施の形態では、図５に示すように、複数の中空部１６は、複数の、図示の実施の形態では、２枚の平板材の間の空間を区切るように、即ち、中空部１６の両側が平板材により閉塞するように形成されているが、１枚状の平板材の片面のみに凹凸を形成して、１枚の平板材に複数の中空部１６が存するように形成することもできる。
【００３１】
また、この板状部材１４は、間仕切り１０内部のペット等が飼い主等を確認することができると同時に、閉塞感を感じることがなく、ペットに安心感を与えることができるよう、透光性を有することが望ましい。具体的には、板状部材１４を、透明又は半透明のプラスチック材料から形成することにより対応することができる。このような透光性を有すると共に、上記の押出等の成形の際の加工性や衝撃吸収性を考慮すると、板状部材１４は、具体的には、ポリプロピレン、ポリカーボネート、ポリエチレン、ポリスチレン、ポリ塩化ビニル、ＡＢＳ樹脂その他の熱可塑性樹脂から形成することができる。
【００３２】
一方、枠体１２は、図４に示すように、板状部材１４の端部が挿入される溝部１２ａを有し、この溝部１２ａにより板状部材１４を支持している。この枠体１２は、ある程度の強度や加工性を確保しつつ、同時に意匠性及び軽量性をも確保する観点から、木材等から形成することが好ましい。なお、図面において、符号２８は、この枠体を支持する脚部を示氏、この脚部２８は、ある程度の強度を考慮して、例えば、スティールから形成することができる。
【００３３】
本考案では、板状部材１４は、少なくとも一対の対向する端部、具体的には、図示の実施の形態では、図１乃至図３に示すように、板状部材１４の上端及び下端が枠体１２に保持されている。この場合、板状部材１４は、その複数の中空部１４が、上端及び下端にわたるようにして配置される。
【００３４】
一方、板状部材１４の他方の一対の対向する端部、即ち、図示の実施の形態では、図１乃至図３に示すように、左端及び右端のうちのいずれか一方のみが、枠体１２により保持され、他端は、特に、図４及び図６に示すように、中空部１６を貫通して枠体１２に支持される自己保型性を有するワイヤ２０により左右方向への変位が規制されている。
【００３５】
この場合、図示の実施の形態のように、２つの間仕切り１０Ａ、１０Ｂを間仕切り部材として組み合わせて、伸縮自在な間仕切り１０とする場合には、図１乃至図３に示すように、このワイヤ２０により変位が規制されている端を、間仕切り１０の中央部に向けて配置する。即ち、２つの間仕切り１０Ａ、１０Ｂを、このワイヤ２０が設置されている側の端部（枠体１２がない方の端部）を向き合うようにして連結する。
【００３６】
これにより、このワイヤ２０が、枠体１２の代わりに板状部材１４の左右方向への変位を規制して、板状部材１４の充分な固定強度を確保しつつ、図３に示すように、２つの間仕切り１０Ａ、１０Ｂを相互に離反するように伸長させても、図１乃至図３に示すように、板状部材１４の途中（左右の枠体１２Ａ、１２Ｂ間）において枠体１２が存在することがなく、優れた意匠性も確保することができる。なお、このワイヤ２０は、適宜の金属製材料から形成することができる。
【００３７】
また、このワイヤ２０は、図４及び図６に示すように、板状部材１４の複数の中空部１６内を貫通するようにして配置されると共に、一端（上端）が鉤状に形成され、この鉤状の先端２０ａを、上方の枠体１２に打ち込まれて支持された釘等の棒状部材２２に引っ掛けるようにして係止される一方、他端（下端）にはネジ溝２０ｂが切られ、このネジ溝２０ｂを、他方（下方）の枠体１２に取り付けられるネジ受け２４に螺合されて、固定されている。
【００３８】
この場合、複数の中空部１６が板状部材１４の対向する端部（図示の実施の形態では、上下の端部）を貫通するように形成されているため、この中空部１６に自己保型性を有するワイヤ２０を貫通させて枠体に支持することができ、一方、このワイヤ２０は、複数の中空部１６を貫通することができる長さに形成して、ネジ溝２０ｂ側の一端を、中空部１６の上方から中空部１６内に挿入して下端のネジ受け２４に螺合することにより、枠体１２に固定することができるすることができる。従って、ワイヤ２０が貫通する中空部１６は、ワイヤ２０により変位が規制されて、枠体１２がなくても、板状部材１４の左右の端部の左右方向への変位を規制することができる。
【００３９】
なお、相互に摺動自在に連結される間仕切り１０Ａ、１０Ｂは、図４に示すように、平行に配置された上で、上端及び下端において２つの間仕切り１０Ａ、１０Ｂの枠体１２に跨って取り付けられる摺動片２６により、相互に摺動自在に連結され、図３に示すように、摺動により幅方向（左右方向）に伸縮自在とすることができる。このため、図３に示すように、間仕切り１０は、設置箇所に合わせて設置幅を調整することができると共に、この設置幅の調整により間仕切りを開閉して、ペットの出し入れを容易にするゲートとすることができる。
【００４０】
この摺動片２６は、図４に示すように、枠体１２のうち、ワイヤ２０が存在する部分の上方及び下方、即ち、各間仕切り１０Ａ、１０Ｂの左端又は右端付近（左右方向において枠体１２が存在しない側の端部付近）に設置され、このワイヤ２０が存在する側の枠体１２に固定される一方、他方の間仕切り１０の枠体１２には摺動自在に跨って設置される。このため、摺動片２６は、２つの間仕切り１０Ａ、１０Ｂを連結した図示の実施の形態においては、図１乃至図３に示すように、上方及び下方の枠体１２の各々につき、２つの摺動片２６（上下合わせて計４つの摺動片２６）が設置される。
【００４１】
これにより、摺動片２６は、図３に示すように、相互に連結された２つの間仕切り１０Ａ、１０Ｂのうち、固定された側の間仕切り１０Ａ、１０Ｂと共に移動し、図３（Ａ）に示すように、最も収縮された状態においては、ワイヤ２０と共に自らが固定されていない側の間仕切り１０Ａ、１０Ｂの枠体１２（左右に配置される枠体１２Ａ又は１２Ｂ）に近接するように位置すると共に、この他方の間仕切り１０Ａ、１０Ｂの左右に配置された枠体１２Ａ、１２Ｂに当接して、それ以上の収縮が規制される一方、この状態から、図３（Ｂ）に示すように、どちらか一方の又は双方の間仕切り１０Ａ、１０Ｂを左右の枠体１２Ａ、１２Ｂが相互に離反する方向に修道させることにより、伸長することができ、最も伸長された状態においては、摺動片２６同士が相互に当接して、それ以上の伸長が規制されて、２つの間仕切り１０Ａ、１０Ｂが分離してしまうことがない。
【００４２】
この摺動片２６は、図１乃至図３に示すように、各間仕切り１０Ａ、１０Ｂの左右の枠体１２Ａ、１２Ｂとは反対側の端部（枠体１２Ａ、１２Ｂが存在しない側の端部）に設置され、ワイヤ２０は、図６に示すように、この摺動片２６の中央付近に設置される。従って、ワイヤ２０は、間仕切り１０Ａ、１０Ｂの左右の端部の変位を規制することができ、また、この左右の端部の変位を規制することができれば、最右端又は最左端の中空部１６に貫通させることは必ずしも要しない。
【００４３】
なお、図示の実施の形態においては、ワイヤ２０を、各間仕切り１０Ａ、１０Ｂの左右の端部付近に設置したが、板状部材１４の左右端以外の中空部１６（左右の端部の間の中空部）にも設置することができ、特に、間仕切り１０の幅が、図３（Ａ）に示す最も収縮された状態で、１００ｃｍを超える場合には、強度を向上する上で好ましい。この場合には、板状部材１４の左右端以外の中空部１６に配置されたワイヤ２０を支持する枠体１２部分には、必ずしも摺動片２６を設ける必要はない。
【００４４】
また、図示の実施の形態では、各間仕切り１０Ａ、１０Ｂの左右の打ちのいずれか一方のみの端部付近に、ワイヤ２０を設置したが、例えば、３つ以上の間仕切り１０を相互に摺動自在に組み合わせる場合には、最左端又は最右端に設置される間仕切り１０以外の間仕切りについては、両端付近にワイヤ２０を設置することもでき、これによれば、３つ以上の間仕切りを組み合わせた場合においても、左右端の間に枠体が存在せず、充分な強度を確保しつつ意匠性を確保することができる。
【産業上の利用可能性】
【００４５】
本考案は、例えば、屋内や屋外に設置して、ペット等の移動を規制するパーテーションやゲートとして使用することができるほか、幼児等のベビーガードとして適用することもできる。
【図面の簡単な説明】
【００４６】
【図１】本考案の間仕切りの斜視図である。
【図２】図２は、本考案の間仕切りの使用状態を示し、同図（Ａ）はその平面図、同図（Ｂ）はその斜視図である。
【図３】図３は、本考案の間仕切りの伸縮状態を示し、同図（Ａ）は最も収縮された状態の斜視図、同図（Ｂ）は最も伸長された状態の斜視図である。
【図４】本考案の間仕切りに使用される枠体及び摺動片の概略立て断面図である。
【図５】本考案の間仕切りに使用される板状部材の平面図である。
【図６】本考案の間仕切りに使用されるワイヤの取付状態を示す概略斜視図である。
【符号の説明】
【００４７】
１０（１０Ａ、１０Ｂ）  間仕切り
１２  枠体
１２Ａ、Ｂ  左右の枠体
１４  板状部材
１４ａ  溝部
１６  複数の中空部
１８  補強壁
２０  ワイヤ
２０ａ  鉤状の先端
２０ｂ  ネジ溝
２２  棒状部材
２４  ネジ受け
２６  摺動片
２８  脚部
【図１】
0003124699.tif 000003
【図２】
0003124699.tif 000004
【図３】
0003124699.tif 000005
【図４】
0003124699.tif 000006
【図５】
0003124699.tif 000007
【図６】
0003124699.tif 000008